(57)【要約】【課題】元竿と延伸竿との間で釣竿全体の長さを変化させることができ、且つ、元竿と延伸竿との間の大きな段差を解消できる釣竿を提供する。【解決手段】この釣竿は、元竿１と、元竿１の竿元側に元竿内に出入自在に連結された延伸竿２とを備える。元竿１は、全体として先細りテーパが施され、竿元側端部の内周面に他の部分より一段小径の第１の径の変化しない部分Ｘが形成されており、竿元側に脱着自在に連結され元竿１の竿元側端面径より内方向に張り出した当止フランジを有する尻栓４を有する。延伸竿２は、穂先側端部外周面に他の部分より大径に形成される嵌合雄部６ａが形成され元竿１内に出入される挿入部６と、挿入部６の嵌合雄部６ａの竿元側の外周に載置される嵌合パイプ１１と、嵌合パイプ１１の載置された周面の竿元側周面に固定されるパイプ状の段埋部材９とを有する。【選択図】      図２
2004215508.tif 000002
【特許請求の範囲】
【請求項１】
筒状体である複数の竿体を順次連結してなる釣竿であって、
元竿と、前記元竿の竿元側に前記元竿内に出入自在に連結され、前記元竿内に収納された収納状態，前記元竿の竿元側に引き出された延伸状態の何れにおいても前記元竿に固定可能な延伸竿とを備え、
前記元竿は、全体として先細りテーパが施され、竿元側端部の内周面に他の部分より一段小径化され径の変化しない部分が形成された筒状の本体部と、前記本体部の竿元側に脱着自在に連結され前記元竿の竿元側端面径より内方向に張り出した当止フランジを有する尻栓とを有し、
前記延伸竿は、穂先側端部外周面に他の部分より大径に形成される嵌合雄部が形成され前記元竿内に出入される挿入部と、前記挿入部の嵌合雄部の竿元側の外周に載置される嵌合パイプと、前記挿入部の竿元側に連結されるグリップ部と、前記挿入部の嵌合パイプの載置された周面の竿元側周面に固定されるパイプ状の段埋部材とを有し、
前記挿入部は嵌合雄部が前記元竿の本体部の軸方向中央付近の内周面に嵌着可能であり、また、前記挿入部は嵌合パイプを介して竿元側端部内周面の径の変化しない部分に嵌着可能である、釣竿。
【請求項２】
前記尻栓は、竿元側端部内周面に雌ねじ部を有し、
前記延伸竿は挿入部の竿元側端部外周面に前記雌ねじ部に螺着可能な雄ねじ部を有している、請求項１に記載の釣竿。
【発明の詳細な説明】
【０００１】
【発明の属する技術分野】
本発明は、魚釣りに用いる釣竿に関する。
【０００２】
【従来の技術】
一般に、釣竿は複数の竿体を振出形式若しくは並継形式等によって連結して一本の釣竿となっている。そして、その用途にあわせて様々なタイプの釣竿が多様な機能を備えて提供されている。例えば、鮎釣り用の鮎竿や渓流竿などの延べ竿に於いては、仕掛けに係った魚を取込易くするために、釣竿の全長を釣り操作時に素早く変更できるような機能が付与されている。
【０００３】
例えば、ある種の従来の鮎竿等は、元竿の竿元側端部に別途延伸竿が連結されている。この延伸竿は元竿内に収納した状態（収納状態）と、元竿内から手元側に引き出した状態（延伸状態）との何れにあっても元竿に連結固定可能である。そして、釣り操作の最中に状況に応じて釣人は延伸竿を出し入れして釣竿全体の長さを調整して釣りを行う（例えば、特許文献１等参照）。
【０００４】
【特許文献１】
実用新案登録第３０２２４１１号公報（図２，図３）
【０００５】
【発明が解決しようとする課題】
図６において示すように、上述のような従来の釣竿にあっては、延伸状態において延伸竿１０１の穂先側端部を元竿１００の竿元側端部内周面に嵌合させるために、元竿の内径より一段小径のパイプ状の嵌合部材１０２を配置している。このため、延伸状態において、延伸竿１０１の周面と嵌合部材１０２との段差（ΔＸ）が大きくなってしまう。
【０００６】
このような段差は、元竿と挿入竿との間にゴミなどの進入を招き易く、また、外観も損なう。そこで、かかる段差を埋め、若しくは、なるべく段差を小さくするような部材を、延伸竿１０１の嵌合雄部に隣接する周面に配置することが考えられる。しかし、このような段差埋め用の部材を延伸竿の嵌合雄部の竿元側周面に取り付けると延伸竿を元竿内に収納できなくなってしまう。
【０００７】
本発明の課題は、元竿と延伸竿との間で釣竿全体の長さを変化させることができ、且つ、元竿と延伸竿との間の大きな段差を解消できる釣竿を提供することにある。
【０００８】
【課題を解決するための手段】
発明１の釣竿は、筒状体である複数の竿体を順次連結してなる釣竿であって、元竿と、元竿の竿元側に元竿内に出入自在に連結され、元竿内に収納された収納状態，元竿の竿元側に引き出された延伸状態の何れにおいても元竿に固定可能な延伸竿とを備えている。元竿は、全体として先細りテーパが施され、竿元側端部の内周面に他の部分より一段小径の径の変化しない部分が形成された筒状の本体部と、本体部の竿元側に脱着自在に連結され元竿の竿元側端面径より内方向に張り出した当止フランジを有する尻栓とを有している。延伸竿は、穂先側端部外周面に他の部分より大径に形成される嵌合雄部が形成され元竿内に出入される挿入部と、挿入部の嵌合雄部の竿元側の外周に載置される嵌合パイプと、挿入部の竿元側に連結されるグリップ部と、挿入部の嵌合パイプの載置された周面の竿元側周面に固定されるパイプ状の段埋部材とを有している。この挿入部は嵌合雄部が元竿の本体部の軸方向中央付近の内周面に嵌着可能であり、また、挿入部は嵌合パイプを介して竿元側端部内周面の径の変化しない部分に嵌着可能である。
【０００９】
この釣竿の延伸竿は元竿内に収納した状態（収納状態）と、元竿内から手元側に引き出した状態（延伸状態）との何れにあっても元竿に連結固定可能である。釣りを行っている最中において、延伸竿を元竿から手元側に引き出して延伸状態とし、若しくは、延伸竿を元竿内に押し込んで収納状態とし、状況に応じて釣竿全体の長さを調整して釣りを行う。具体的には、各状態において元竿と延伸竿とは以下のような態様で連結固定されている。
【００１０】
まず、収納状態にあっては、元竿内に竿元側から延伸竿が挿入されると、嵌合雄部上に配置される嵌合パイプはその手元側に於いて段埋部材に当たって嵌合雄部と共に元竿内へと挿入されてゆく。そして、元竿の先細りテーパとの関係で、延伸竿の挿入部の嵌合雄部は元竿の軸方向中央付近の内周面に嵌着する。
一方、延伸状態にあっては、元竿内から竿元側に延伸竿が引き出されると、嵌合パイプは大径の嵌合雄部の竿元側に於いて延伸竿と共に竿元側に至る。そして、嵌合パイプの竿元側部分は元竿の竿元側端部において尻栓の当止フランジに突き当たる。そして、延伸竿の嵌合雄部の竿元側部分が嵌合パイプを介して元竿の径の変化しない部分に嵌着する。この場合、尻栓と延伸竿の挿入部の周面との隙間には段埋部材が存在しており、その段差を埋めている。
【００１１】
このように、延伸竿と共に軸方向に移動する嵌合パイプを介して元竿と延伸竿とを相互に嵌着させる構造とすることで、延伸竿の穂先側の周面に段埋部材を配置できる。また、尻栓を取り外せば延伸竿が元竿から容易に分離する。よって、長期の使用により摩耗等が生じた嵌合パイプは容易に交換でき、長期にわたって嵌着力を維持することもできる。
【００１２】
発明２の釣竿は、発明１の釣竿であって、尻栓は、竿元側端部内周面に雌ねじ部を有し、延伸竿は挿入部の竿元側端部外周面に雌ねじ部に螺着可能な雄ねじ部を有している。
この釣竿では、延伸竿の嵌合雄部が嵌合パイプを介して元竿の径の変化しない面に嵌合した収納状態において、さらに、元竿と延伸竿とを完全に固定したい場合に、雄ねじ部を雌ねじ部に螺着させる。釣りを終えて釣竿を仕舞うような際に、両者を完全に固定できる。
【００１３】
【発明の実施の形態】
［第１実施形態］
以下、本発明の第１実施形態について図面を参照しつつ説明する。
本発明の第１実施形態を採用した釣竿は、鮎釣り等に用いられる釣竿であり、図１に示すように、元竿１と、元竿１の竿元側から出し入れ自在に連結される延伸竿２とを有している。また、元竿１の穂先側にも、複数の竿体Ｒ等が連結される。これらの各竿体は炭素繊維等の強化繊維に合成樹脂を含浸させたプリプレグ素材を焼成して形成されている。
【００１４】
元竿１より穂先側の各竿体はいわゆる振出形式で連結されており、穂先側の竿体から順次竿元側に位置する竿体内に出し入れ自在である。それぞれ穂先側に位置する竿体の竿元側端部外周面を竿元側に隣接する竿体の穂先側内周面に嵌着させて相互に固定可能である。最も穂先側に位置する穂先竿の穂先側端部には釣糸係止具が配置されている。また、元竿１とその竿元側に位置する延伸竿２とにあっては、後述のように、延伸状態，収納状態の何れの状態にあっても、相互に連結固定可能となっている。
【００１５】
（元竿１について）
元竿１は全体として穂先側ほど小径化するようなテーパが施された筒状体である。元竿１の竿元側内周面に於いては、部分的に他の部分より一段小径に形成された軸方向においてその内径が変化しない第１の径の変化しない部分Ｘが設けられている（図３参照）。この第１の径の変化しない部分Ｘの内径は後述する嵌合パイプ１１の外径にあわせて設定される。
【００１６】
また、元竿１の軸方向中央付近の内周面に於いては、部分的に他の部分より一段小径に形成された軸方向においてその内径が変化しない第２の径の変化しない部分Ｙが設けられている（図２参照）。即ち、元竿１は、穂先側から順次竿元側に向かって内径も拡径してゆくテーパが施されているが、その中の一部分においては、その内径が部分的に変化しない（Ｙ範囲）。そして、Ｙ範囲の竿元側に連続する部分においては、通常のテーパに再び合致するように、急テーパ部分が形成されている。この第２の径の変化しない部分Ｙの内径は、後述する延伸竿２の穂先側端部の外径にあわせて設定される。なお、この実施形態では、元竿１に、特に第２の径の変化しない部分Ｙを形成しているが、これを設けること無く単純なテーパ面に留めて於いてもよい。
【００１７】
また、図２に示すように、この元竿１の竿元側端部には尻リング３が接着されており、この尻リング３に尻栓４が脱着自在に装着されている。
尻リング３は、金属（アルミニウム合金製）の円筒型の部材であり、竿元側端部内周面はねじ溝が形成され第１雌ねじ部分となっている。元竿１の竿元側端部の外周面は、竿元側端縁より一部が削られて凹入しており、この凹入した部分を尻リング３が覆うようにして、尻リング３の穂先側が凹入した部分に装着されている。接着など任意の手法で尻リング３は元竿１に装着すれば足りる。この際、尻リング３の外径は元竿１の外径に合致するように設定するのがよい。
【００１８】
尻栓４は硬質合成樹脂製若しくは金属製の円筒型の部材である。穂先側は外径が一段小径化した挿入部分となっており、その外周面が上述の第１雌ねじ部分に螺合する第１雄ねじ部分となっている。また、穂先側の内周面には元竿１の竿元側端縁に竿元側から当接すると共に元竿１の竿元側端面径より内方向に張り出している当止フランジ４ａが形成されている（図２参照）。一方、尻栓４の竿元側の内周面（当止フランジ４ａの竿元側）にも、ねじ溝が形成されて第２雌ねじ部分が形成されている。この第２雌ねじ部分のねじ溝については、後述する。
【００１９】
このように、この尻栓４は第１雄ねじ部分を尻リング３の第１雌ねじ部分に螺着することで、尻リング３を介して元竿１に脱着自在に装着されている。
（延伸竿２について）
図１〜３に示すように、延伸竿２は、元竿１の竿元側からその内部に挿入される挿入部６と、挿入部６の竿元側に連結される太径のパイプ状部材であるグリップ部７とからなる。
【００２０】
挿入部６は元竿１内に挿入可能な外径の筒状体である。挿入部６は、テーパの変化のないもの若しくは竿元側ほど小径化するようなテーパを施しておく。特に、この穂先側端部の外周面は、軸方向の一定範囲で外径が他の部分より大径化されており、ここが嵌合雄部６ａとなっている（図２，３参照）。嵌合雄部６ａは穂先側ほど外径が大径化するようなテーパ若しくは軸方向に於いてテーパが変化しない部分としておく。この嵌合雄部６ａの竿元側の周面には、後述の嵌合パイプ１１が載置されている。
【００２１】
また、挿入部６は、嵌合雄部６ａの竿元側に隣接する周面に固定されるパイプ状の段埋部材９を有している。段埋部材９は、挿入部６の周面より一段大径化しているパイプ状の部材であって合成樹脂等から形成されている。また、竿元側に至るにつき外径が小径化し竿元側端部において挿入部６の周面に面一化するようなテーパを外径に施してある。この段埋部材９は挿入部６の外周面に螺着する等周知の手法によって脱着自在に装着される。なお、段埋部材９の穂先側端部には保護用のゴムリングなどを別途装着してもよい。
【００２２】
さらに、挿入部６は、竿元側端部外周面に装着されるねじ金具１０を有する。
ねじ金具１０は、挿入部６の竿元側端部の外周面に（グリップ部７の穂先側に隣接して）装着されているリング状の部材である。挿入部６に対して接着又は螺着等周知の手法で装着される。ねじ金具１０の外周面には多条ねじ溝が形成されている。多条ねじのねじ幅や条数は任意に設定できるが、例えば、条数は４〜６程度にするのが好ましい。さらに、このねじ金具９のリードやねじ幅も種々の範囲に設定可能であるが、螺着ための回転角が５０〜１５０度程度に、さらに好ましくは７０〜１１５度程度になるように設定するのが好ましい。このネジ金具９は上述の第２雌ねじ部に螺着するが、所定の回転角に設定するのが操作性の観点より好ましい。
【００２３】
嵌合パイプ１１は、その外径を元竿１の竿元側端部内周面の第１の径の変化しない部分Ｘにあわせて設定し、内径は挿入部６の嵌合雄部６ａの竿元側の周面径程度で逆テーパに設定する。例えば、嵌合パイプ１１は元竿１などと同様に炭素繊維強化樹脂等から形成され、好ましくは、その外径は軸方向に径の変化しない面としておく。なお、嵌合パイプ１１には穂先側端部から軸方向に延びる「割り」等を形成してもよい。この嵌合パイプ１１は、嵌合雄部６ａの竿元側に隣接する周面であって段埋部材９の穂先側の挿入部６の周面に載置される。挿入部６とは接着固定されず、載置されるに留まる。
【００２４】
一方、グリップ部７は、挿入部６より大径且つ元竿１の外周面に合致するような径のパイプ状部材である。元竿１や挿入部６と同様に繊維強化樹脂等から構成してもよいが、別途金属素材などから構成してもよい。挿入部６が穂先側から挿入された状態で螺着など周知の手法によってグリップ部７は脱着自在に挿入部６の竿元側端部に連結されている。グリップ部７は挿入部６が完全に挿入された状態でも、グリップ部７の穂先側端部に挿入部６が部分的に挿入された状態でもよい。
【００２５】
（元竿１と延伸竿２との連結固定について）
この釣竿の延伸竿２は元竿１内に収納した状態（収納状態：図２）と、元竿１内から手元側に引き出した状態（延伸状態：図３）との何れにあっても元竿１に連結固定可能である。釣りを行っている最中において、延伸竿２を元竿１から手元側に引き出して延伸状態とし、若しくは、延伸竿２を元竿１内に押し込んで収納状態とし、状況に応じて釣竿全体の長さを調整して釣りを行う。
【００２６】
図４に示すように、収納状態にする場合には、元竿１内に竿元側から延伸竿２が挿入されると、挿入部６の嵌合雄部６ａの竿元側周面に配置される嵌合パイプ１１はその手元側に於いて段埋部材９の穂先側端面に当接し、挿入部６と共に元竿１内へと挿入されてゆく。そして、挿入部６の穂先側端部の嵌合雄部６ａは元竿１の第２の径の変化しない部分Ｙに嵌着する（図２参照）。
【００２７】
さらに、このような収納状態にあっては、仮止め状態と本止め状態の何れも可能である。即ち、嵌合雄部６ａを元竿１の内周面である第２の径の変化しない部分Ｙに嵌着させたのみでも十分に元竿１と収納竿２とは相互に連結固定されている（仮止め状態）。しかし、元竿１と延伸竿２とをさらに完全に連結固定するために、元竿１と延伸竿２とを相互に周方向に回動させて、尻栓４の第２雌ねじ部分とねじ金具１０とを螺着させることもできる（本止め状態）。
【００２８】
一方、図３に示すように、延伸状態にあっては、元竿１内から竿元側に延伸竿２の挿入部６が引き出されると、嵌合パイプ１１も嵌合雄部６ａの竿元側周面と共に竿元側に至る。そして、嵌合パイプ１１の竿元側部分は元竿１の竿元側端部において尻栓４の当止フランジ４ａに突き当たる。さらに、この嵌合パイプ１１が元竿１の第１の径の変化しない部分Ｘに嵌着し、さらに延伸竿２を引き出すと嵌合パイプ１１の内周面のテーパにより嵌合パイプ１１の外周が元竿１の内周面に強く押しつけられる。この際、尻栓４と延伸竿２の挿入部６の周面との隙間には段埋部材９が存在しており、その段差を埋めている。このように、延伸状態では、嵌合パイプ１１を介して延伸竿２と元竿１とが相互に連結固定されることになる。
【００２９】
なお、この釣竿にあっては、尻栓４を元竿１から取り外せば延伸竿２が元竿１から容易に分離する。延伸竿２の挿入部６とグリップ部７とを分解し、段埋部材９，ねじ金具１０も取り外せば、長期の使用により摩耗等が生じた嵌合パイプ１１は容易に交換できる。長期にわたって嵌着を繰り返し摩耗した嵌合パイプ１１を交換すれば、嵌着力を使用初期の状態のように回復することもできる。
【００３０】
［他の実施形態］
（ａ）図５に示すように、収納状態において、延伸竿２の挿入部６の嵌合雄部６ａ上に嵌合パイプ１１が至るように径を設定して、収納状態においても、嵌合パイプ１１を介して嵌合雄部６ａを元竿１の内周面に嵌着させ得るようにしても良い。即ち、嵌合パイプ１１の内径を嵌合雄部６ａの外径に精密にあわせておき、嵌合パイプ１１が嵌合雄部６ａ上に載置されるようにする。この場合には、嵌合雄部６ａの竿元側に隣接する挿入部６の周面に段埋部材９を配置することになる。
【００３１】
いずれにせよ、収納状態において、元竿の内周面と挿入竿の穂先側端部とを相互に嵌着させることとすることで、収納状態にあっては、ゴミ等が嵌合部分に付着し難く固着などの問題が生じ難くなる。
【００３２】
【発明の効果】
本発明に係る釣竿によれば、元竿と延伸竿との間で釣竿全体の長さを変化させることができ、且つ、元竿と延伸竿との間の大きな段差を解消できる。
さらに、長期の使用によって元竿と延伸竿との嵌合力が低下するに至っても、容易にその嵌合力を回復できる。
【図面の簡単な説明】
【図１】本発明の第１実施形態を採用した釣竿の全体図。
【図２】図１の元竿１と延伸竿２との収納状態を模式的に示した図。
【図３】図１の元竿１と延伸竿２との延伸状態を模式的に示した図。
【図４】図１の延伸竿２を元竿１内に挿入する途中の状態を示した図。
【図５】他の実施形態における収納状態を模式的に示した図。
【図６】従来例を示した図。
【符号の説明】
１  元竿
２  延伸竿
４  尻栓
６  挿入部
７  グリップ部
１０  ねじ金具
１１  嵌合パイプ
【図１】
2004215508.tif 000003
【図２】
2004215508.tif 000004
【図３】
2004215508.tif 000005
【図４】
2004215508.tif 000006
【図５】
2004215508.tif 000007
【図６】
2004215508.tif 000008